(57)【要約】【課題】小型、軽量でかつ外観性能の向上を図った延長管を提供するものである。【解決手段】延長パイプ７を備え、前記延長パイプ７は、略円筒形状に成形された熱可塑性シート１８の円周方向の両端面を熱可塑性樹脂からなると共に導電体１７を埋没させた架橋部１９を一体に成形して繋いでパイプ形状としたもので、導電体１７を別部品で保持する必要がなくなり、軽量化が図れると共にパイプと導電体保持部が一体化するため、外観性能の向上が図れるものである。【選択図】図２
2019005255.tif 000002
【特許請求の範囲】
【請求項１】
延長パイプを備え、前記延長パイプは、略円筒形状に成形された熱可塑性シートの円周方向の両端面を、熱可塑性樹脂からなる架橋部で導電体を埋没させた状態で一体に成形して繋いでパイプ形状とした延長管。
【請求項２】
導電体をリード線で形成した請求項１に記載の延長管。
【請求項３】
導電体を鋼線又は銅線で形成した請求項１に記載の延長管。
【請求項４】
導電体をフラットケーブルで形成した請求項１に記載の延長管。
【請求項５】
請求項１〜４のいずれか１項に記載された延長管を用いる電気掃除機。
【発明の詳細な説明】
【技術分野】
【０００１】
本発明は、塵埃を吸い込むための延長管及び、この延長管を用いた電気掃除機に関するものである。
【背景技術】
【０００２】
従来の塵埃を吸い込むための延長管の一端にはノズルが、他端には掃除機本体に接続されたホースが接続されるようになっており、前記ノズルに塵埃を掻き上げる回転ブラシを駆動する電動機を設けた場合は、前記延長管には、掃除機本体から前記電動機に電力を供給するための導電体が設けられている。
【０００３】
このような従来の延長管は、塵を吸込むパイプ部と導電体を収納する部分を分け、距離を開けて形成されていた（例えば、特許文献１参照）。
【先行技術文献】
【特許文献】
【０００４】
【特許文献１】特開２０１３−９７８４号公報
【発明の概要】
【発明が解決しようとする課題】
【０００５】
しかしながら、上述した特許文献１に記載された従来の延長管の構成では、塵を吸込むパイプ部と電気的に接続するための導電体を収納する部分を別の部品で構成しているため重くなっており、使用時に使用者の手に負担が掛かるという課題があった。また延長管に一体感がなくなり、外観品質の低下も招いていた。
【０００６】
本発明は、上記従来の課題を解決するもので、小型化、軽量化、外観品質の向上が図れる延長管及び使用勝手の良い電気掃除機を提供することを目的とする。
【課題を解決するための手段】
【０００７】
上記従来の課題を解決するために本発明の延長管は、延長パイプを備え、前記延長パイプは、略円筒形状に成形された熱可塑性シートの円周方向の両端面を、熱可塑性樹脂からなる架橋部で導電体を埋没させた状態で一体に成形して繋いでパイプ形状としたもので、導電体を別部品で保持する必要がなくなり、軽量化が図れると共にパイプと導電体保持部が一体化するため、外観性能の向上が図れる。
【０００８】
また、本発明の電気掃除機は、請求項１〜４のいずれか１項に記載された延長管を用いるもので、延長管が小型、軽量なので、使用勝手の良い電気掃除機を提供することができる。
【発明の効果】
【０００９】
本発明の延長管は、円筒状の熱可塑性シートの円周方向の両端を繋ぐ樹脂を射出する時に導電体を一体成形することにより、延長管のパイプに導電体が埋め込まれた状態になっているため、従来のように導電体を別部品を用いて保持する必要がなく、形状の小型化、軽量化、外観品質の向上が図れると共にこの延長管を電気掃除機に用いることで使用勝手の良い電気掃除機を提供することができる。
【図面の簡単な説明】
【００１０】
【図１】本発明の実施の形態１における延長管を用いた電気掃除機の全体側面図
【図２】（ａ）同延長管の上面図、（ｂ）同延長管の縦断面図
【図３】（ａ）同延長管の延長パイプの上面図、（ｂ）同延長パイプの縦断面図
【図４】同延長管の延長パイプの横断面図
【図５】（ａ）本発明の実施の形態２における延長管の上面図，（ｂ）同延長管の縦断面図
【図６】（ａ）同延長管の延長パイプの上面図、（ｂ）同延長パイプの縦断面図
【図７】同延長パイプの横断面図
【発明を実施するための形態】
【００１１】
第１の発明は、延長パイプを備え、前記延長パイプは、略円筒形状に成形された熱可塑性シートの円周方向の両端面を、熱可塑性樹脂からなる架橋部で導電体を埋没させた状態で一体に成形して繋いでパイプ形状としたもので、導電体を別部品で保持する必要がなくなり、軽量化が図れると共にパイプと導電体保持部が一体化するため、外観性能の向上が図れる。
【００１２】
第２の発明は、特に、第１の発明の導電体をリード線で形成したもので、安価で成形後の組立も容易になるものである。
【００１３】
第３の発明は、特に、第１の発明の導電体を鋼線又は銅線で形成したもので、導電体を鋼線で形成した場合は、リード線の絶縁被覆の分の厚みが不要になるので、延長管をスリムにすることができる。また、導電体を内部抵抗が小さい銅線で形成すれば、延長管をスリムにすることができると共に、導電体の部分での電圧降下を減らすことができるのでノズル内の電動機の回転トルクの低下を防止することができる。
【００１４】
第４の発明は、特に、第１の発明の導電体をフラットケーブルで形成したもので、より一層の軽量化と外観性能向上が実現できるものである。
【００１５】
第５の発明に係る電気掃除機は、請求項１〜４のいずれか１項に記載された延長管を用いるもので、延長管が小型、軽量なので、使用勝手の良い電気掃除機を提供することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における延長管を用いた電気掃除機の全体側面図、図２（ａ）は、同延長管の上面図、図２（ｂ）は同延長管の縦断面図、図３（ａ）は、同延長管の延長パイプの上面図、図３（ｂ）は、同延長パイプの縦断面図、図４は、同延長管の延長パイプの横断面図である。
【００１８】
図１において、本実施の形態における延長管５を用いた電気掃除機３０は、吸引力を発生させる電動送風機（図示せず）及び集塵部（図示せず）を備えた掃除機本体１と、一端がホース継手３を介して掃除機本体１に接続されて集塵部と連通するホース２と、一端がホース２に接続されて、電動送風機の電源オン、オフ等使用者が操作を行うための複数のスイッチ（図示せず）を有する手元操作部４を備えている。
【００１９】
一方、手元操作部４の他端には、延長管５が接続され、延長管５の先端にはノズル６が接続されており、使用者が手元操作部４を用いて電源オン操作を行うと、掃除機本体１内部の電動送風機が駆動し、ノズル６の吸込口（図示せず）から吸引風が発生し、床面等に付いている塵埃を吸い取り、延長管５、手元操作部４、ホース２を介して掃除機本体１内
部の集塵部に集塵することが可能である。
【００２０】
尚、延長管５は、手元操作部４に対して着脱自在であるため、延長管５を手元操作部４から外して、手元操作部４の開口部分（図示せず）から塵埃を吸い込むことも可能であり、延長管５からノズル６を取り外し、延長管５の開口部分（図示せず）から塵埃を吸い込むことも可能である。
【００２１】
以下に、図２〜４用いて、本実施の形態における延長管５の詳細について説明する。
【００２２】
図２〜４において、延長管５の延長パイプ７の後部には、ホース２が接続されるホース接続部８が、前部にはノズル６が接続される吸込具接続部９がそれぞれ圧入、接着、溶着などで強固に保持されている。吸込具接続部９の上方には、プリント基板１０を保持する基板保持体１１、尾錠１２、飾り板１３、雌型端子１４を外皮１５で覆って保持している。
【００２３】
延長パイプ７の後部では、ホース接続部８に雄型端子１６を保持した後、外皮１５で覆って雄型端子１６を固定している。雌型端子１４と雄型端子１６は、導電体１７及びプリント基板１０を通して電気的に接続されている。
【００２４】
延長パイプ７の胴体部は、熱可塑性シート１８であり、熱を加えることにより略円筒形状に成形する。材料の一例として、ＰＰＦＲＰや炭素繊維補強材などで形成されるがこれに限定されるものではない。
【００２５】
円筒状に成形された熱可塑性シート１８の円周方向の両端部は、熱可塑性樹脂からなり一体に成形された架橋部１９で繋がれる。本実施の形態では、熱可塑性シート１８に架橋部１９を成形する際に、導電体１７を架橋部１９の内部に同時に成形するようにしている。
【００２６】
また、前記ホース接続部８の材質と吸込具接続部９の材質を、架橋部１９の材質と同じものにして、架橋部１９で円筒状に成形された熱可塑性シート１８の円周方向の両端部を繋ぐ際に、同時に一体成形でホース接続部８と吸込具接続部９も架橋部１９と一緒に成形してしまう工法も可能であり、この工法を採用することで、延長パイプ７に対してホース接続部８と吸込具接続部９がより一体化し、強度を増すことができるものである。
【００２７】
本実施の形態では、図３、４に示すように導電体１７を複数のリード線で構成しているが、鋼線や銅線を用いても良い。導電体１７の端部は、架橋部１９の端面から出ており、この部分でプリント基板１０や雌型端子１４、雄型端子１６等に電気的に接続される。
【００２８】
以上のように、本実施の形態によれば、導電体１７を別部品で保持する必要がなくなるので、小型化、軽量化が図れると共に延長パイプと導電体１７の保持部が一体化するため、外観性能の向上が図れる。
【００２９】
また、導電体１７をリード線で形成することで安価で成形後の組立も容易になるものである。
【００３０】
また、導電体１７を鋼線で形成すれば、リード線の絶縁被覆の分の厚みが不要になるので、延長管５をよりスリムにすることができる。また、導電体１７を内部抵抗が小さい銅線で形成すれば、延長管５をスリムにすることができると共に、導電体１７の部分での電圧降下を減らすことができるのでノズル６内の電動機（図示せず）の回転トルクの低下を防止することができる。
【００３１】
（実施の形態２）
図５（ａ）は、本発明の実施の形態２における延長管の上面図、図５（ｂ）は同延長管の縦断面図、図６（ａ）は、同延長管の延長パイプの上面図、図６（ｂ）は、同延長パイプの縦断面図、図７は、同延長パイプの横断面図である。なお上記実施の形態１における延長管５と同一部分については、同一符号を付してその説明を省略する。
【００３２】
図５、図６、図７に示すように、本実施の形態における延長管５は、架橋部１９の内部に一体的に埋め込み成形される導電体２０としてリード線２０ｂを含むフラットケーブル２０ａを用いたものである。
【００３３】
フラットケーブル２０ａの端部は、架橋部１９から露出し、そのリード線２０ｂがプリント基板１０、雌型端子１４、雄型端子１６と電気的に接続される。
【００３４】
以上のように、本実施の形態における延長管においては、導電体２０としてフラットケーブル２０ａを用いることで一層の軽量化が実現できると共に架橋部１９の小型化も可能となる。
【００３５】
上記実施の形態では、導電体１７、２０としてリード線、鋼線、銅線、フラットケーブルを例に説明したが、導電体は、これらに限らず、バネなどで形成することも可能である。
【００３６】
また、上記実施の形態における小型、軽量の延長管５を電気掃除機に用いることで電気掃除機の操作性、使用勝手が向上することは言うまでもない。
【産業上の利用可能性】
【００３７】
本発明に係る延長管は、小型化、軽量化、外観品質の向上が図れるもので、この延長管を電気掃除機に用いることで使用勝手の良い電気掃除機を提供することができ、家庭用、業務用を問わず各種電気掃除機に広く適用可能である。
【符号の説明】
【００３８】
１  掃除機本体
２  ホース
３  ホース継手
４  手元操作部
５  延長管
６  ノズル
７  延長パイプ
８  ホース接続部
９  吸込具接続部
１０  プリント基板
１１  基板保持体
１２  尾錠
１３  飾り板
１４  雌型端子
１５  外皮
１６  雄型端子
１７、２０  導電体
１８  熱可塑性シート
１９  架橋部
２０ａ  フラットケーブル
２０ｂ  リード線
３０  電気掃除機
【図１】
2019005255.tif 000003
【図２】
2019005255.tif 000004
【図３】
2019005255.tif 000005
【図４】
2019005255.tif 000006
【図５】
2019005255.tif 000007
【図６】
2019005255.tif 000008
【図７】
2019005255.tif 000009